(57)【要約】【課題】フィルムビュアを歯科治療用ワークテーブルに備えて使用する場合おいて、平面蛍光ランプを用いた薄型のフィルムビュアを用い、該フィルムビュアを、非使用時には、該フィルムビュアの発光面がワークテーブルの後面側または底面側、または、ワークテーブルの内部に移動できるようにし、フィルムビュア非使用時におけるワークテーブルまわりを簡潔にして、作業性の向上を図る。【解決手段】フィルムビュア１０は、非使用時は、フィルムビュア１０の発光面がワークテーブル２の後面側となる下方位置に移動してワークテーブル２のまわりを簡潔にしている。フィルムビュア１０の使用時には、該フィルムビュア１０を、ワークテーブル２の後面側から矢印Ａ方向に移動させて使用する。【選択図】図２
2005028055.tif 000002
【特許請求の範囲】
【請求項１】
平面蛍光ランプの発光面にレントゲン写真を装着するようにしたフィルムビュアを備えたワークテーブルであって、前記フィルムビュアは、該フィルムビュアの発光面が前記ワークテーブルの後面側または底面側に後退された位置と、前記ワークテーブルの上方または側方に延出される位置との間で移動可能なことを特徴とする歯科治療用ワークテーブル。
【請求項２】
平面蛍光ランプの発光面にレントゲン写真を装着するようにしたフィルムビュアを備えたワークテーブルであって、該ワークテーブルは、前記フィルムビュアを収納するための収納スペースを有し、前記フィルムビュアは、前記収納スペース内に収納された状態と、前記ワークテーブルから現出した状態とをとることが可能なことを特徴とする歯科治療用ワークテーブル。
【発明の詳細な説明】
【技術分野】
【０００１】
本発明は、フィルムビュアを備えた歯科治療用ワークテーブルに関し、より詳細には、平面蛍光ランプの発光面にレントゲン写真を接着するようにして薄型のフィルムビュアとし、非使用時等に、ワークテーブルの底面側または裏面側または、ワークテーブル内に収納できるようにすることで、ワークテーブルまわりを簡潔にして、作業性の向上を図った歯科治療用ワークテーブルに関する。
【背景技術】
【０００２】
図４は、従来の歯科治療ユニットの一例を説明するための要部全体構成図で、該歯科治療ユニットは、歯科治療椅子１、ワークテーブル２、スピットン３、無影灯４、インスツルメントホルダ５、フットコントローラ６、アシスタント用インスツルメントホルダ７、シャウカステン（フィルムビュア）８等を有し、インスツルメントホルダ５には、歯科治療において使用する種々のインスツルメント９が収納されており、周知のように、歯科治療に当り、患者は椅子１に座り、頭を安頭台に固定して治療を受ける。治療中、術者は、治療椅子１を上下動，倒起動，傾斜動等させて、患者を治療しやすい姿勢にして治療を行なう。
【０００３】
上述のごとき歯科治療ユニットにおいて、フィルムビュア１０は、ワークテーブル２或いは該ワークテーブル２を支持しているアーム１４等に固定されており、該フィルムビュア１０にデンタル或いはパノラマ撮影したレントゲン写真を装着し、該レントゲン写真を見ながら、術者は歯の現状及び治療方法について患者に説明する。
【０００４】
しかし、従来のフィルムビュアにおいては、光源として、複数本の円筒形の蛍光ランプが使われているものが多く、このような蛍光ランプを用いたフィルムビュアは、蛍光ランプを複数個用いているため、光ムラが生じてしまうこと、蛍光管と照明パネルとの間に空間を必要とするため、フィルムビュアの厚みが厚くなってしまう等の問題があった。
【０００５】
なお、複数個のＬＥＤを面状に配列した発光パネルを用いたフィルムビュアも、提案されている（特許文献１参照）が、このような複数個のＬＥＤを面状に配列した発光パネルを用いたフィルムビュアの場合、広い照明パネル面をムラ無く均一に照らすことは非常に難しく、端まで均一に照明するまでに至っていない。また、ＬＥＤを用いたフィルムビュアの場合は、蛍光ランプを用いたフィルムビュアに比べて薄型化を図ることができるが、多数のＬＥＤを用いて光ムラのないフィルムビュアを実現しようとすると、蛍光管に比べて高コストとなる等の問題があった。
【特許文献１】特開２００１−１９５９０４号公報
【発明の開示】
【発明が解決しようとする課題】
【０００６】
本発明は、上述のごときフィルムビュアを歯科治療用ワークテーブルに備えて使用する場合において、平面蛍光ランプを用いて薄型のフィルムビュアとし、該フィルムビュアを、非使用時等は、該フィルムビュアの発光面がワークテーブルの後面側または底面側、または、ワークテーブルの内部に移動できるようにし、ワークテーブルまわりを簡潔にして、作業性の向上を図ることを目的としてなされたものである。
【課題を解決するための手段】
【０００７】
請求項１の発明は、平面蛍光ランプの発光面にレントゲン写真を装着するようにしたフィルムビュアを備えたワークテーブルであって、前記フィルムビュアは、該フィルムビュアの発光面が前記ワークテーブルの後面側または底面側に後退された位置と、前記ワークテーブルの上方または側方に延出される位置との間で移動可能なことを特徴としたものである。
【０００８】
請求項２の発明は、平面蛍光ランプの発光面にレントゲン写真を装着するようにしたフィルムビュアを備えたワークテーブルであって、該ワークテーブルは、前記フィルムビュアを収納するための収納スペースを有し、前記フィルムビュアは、前記収納スペース内に収納された状態と、前記ワークテーブルから現出した状態とをとることが可能なことを特徴としたものである。
【発明の効果】
【０００９】
本発明によると、歯科治療ユニットに備えられたワークテーブルは、平面蛍光ランプを用いることで従来の蛍光ランプを用いたフィルムビュアに比べて薄型化したフィルムビュアであり、該フィルムビュアの非使用時には、該フィルムビュアの発光面がワークテーブルの後面側または底面側に位置するように移動でき、あるいは、ワークテーブルの内部に収納でき、これにより、ワークテーブルまわりを簡潔にして、作業性の向上を図ることができる。
【発明を実施するための最良の形態】
【００１０】
図１は、本発明によるフィルムビュアの一例を示す概略構成図で、図中、１０は光源として平面蛍光ランプを用いたフィルムビュア、１１は発光面となる板ガラス、１２は、例えば、セラミックスからなる箱形の筐体、１３（１３ａ，１３ｂ）は電極端子である。平面蛍光ランプは、発光面が平面に形成された蛍光ランプで、板ガラス１１とセラミックス筐体１２が接合され、接合により作られた空間の内部に希ガスが封入される。セラミックス筐体１２側の基板の内面には電極が設けられ、この電極の端部は、セラミックス筐体１２の外側に引き出され、これにより電極端子１３（１３ａ，１３ｂ）が形成される。平面蛍光ランプは、発光面に直接レントゲン写真を装着することができるため、フィルムビュア１０の薄型化の要請に応えることができる。
【００１１】
図２は、上述のごときフィルムビュア１０を歯科治療用ワークテーブルに実装した時の例を説明するための概略構成図で、図中、２はワークテーブル、１０は図１に示した平面蛍光ランプを用いて薄型化したフィルムビュア、１４はフィルムビュア１０をワークテーブル２に連結している上下動可能でかつ回動可能なアームで、フィルムビュア１０の使用時には、フィルムビュア１０を、ワークテーブル２の後面側から矢印Ａ方向に移動させて使用する。例えば、フィルムビュア１０の非使用時等には、フィルムビュア１０は、フィルムビュア１０の発光面がワークテーブル２の後面側となる下方位置に移動されてワークテーブル２のまわりを簡潔にすることができる。フィルムビュア１０は、アーム１４を軸にして矢印Ｂ方向に回動可能で、これによって、フィルムビュア１０に装着したレントゲン写真を術者や患者が見やすいように、フィルムビュア１０の向きを調整することができるようになっている。
【００１２】
なお、図２において説明した歯科治療用ワークテーブルでは、平面蛍光ランプを用いて薄型化したフィルムビュアを、例えば、非使用時にワークテーブルの後面側に移動可能とした例を示しているが、本発明の実施の形態は、これに限られるものではなく、ワークテーブルのまわりを簡潔にするものであればよく、フィルムビュアの発光面がワークテーブルの下方に位置するように移動可能であればよい。
【００１３】
図３は、本発明の歯科治療用ワークテーブルの他の実施例を説明するための概略構成図で、図中、図２のワークテーブルと同様の作用を示す部分には、図２と同じ番号が付してある。フィルムビュア１０は、非使用時は、破線２１で示すようにワークテーブル２に収納されており、使用時に、ワークテーブル２から矢印Ｃ方向に引き出され、アーム１４を軸にして矢印Ｄ方向に回動されて、発光面を正面に向けた状態にして使用される。
【図面の簡単な説明】
【００１４】
【図１】本発明のフィルムビュアに使用する平面蛍光ランプの例を示す概略構成図である。
【図２】本発明によるフィルムビュアを備えたワークテーブルの一実施例を説明するための概略構成図である。
【図３】本発明によるフィルムビュアを備えたワークテーブルの他の実施例を説明するための概略構成図である。
【図４】従来の歯科治療ユニットの一例を説明するための要部全体構成図である。
【符号の説明】
【００１５】
１…歯科治療椅子、２…ワークテーブル、３…スピットン、４…無影灯、５…インスツルメントホルダ、６…フットコントローラ、７…アシスタント用インスツルメントホルダ、８…フィルムビュア、９…インスツルメント、１０…本発明によるフィルムビュア、１１…板ガラス、１２…セラミックス筐体、１３，１３ａ，１３ｂ…電極端子、１４…アーム、２１…収納スペース。
【図１】
2005028055.tif 000003
【図２】
2005028055.tif 000004
【図３】
2005028055.tif 000005
【図４】
2005028055.tif 000006